(57)【特許請求の範囲】
【請求項１】
内蔵した脱塩素フィルターを通して塩素除去水を外側から散水する外側散水板の中央に、前記脱塩素フィルターを通さない原水を内側から散水する内側散水板が設けられ、洗髪時等の前記外側散水板からの散水と、清掃時等の前記内側散水板からの散水とを切り替える切替スイッチが設けられていることを特徴とするシャワーヘッド。
【請求項２】
前記内側散水板からの散水範囲が、前記外側散水板からの散水範囲よりも狭くなるように設定されていることを特徴とする請求項１に記載のシャワーヘッド。
【請求項３】
前記内側散水板の散水孔の径が、前記外側散水板の散水孔の径よりも大径に形成されていることを特徴とする請求項１に記載のシャワーヘッド。
【請求項４】
前記内側散水板の散水孔の数が、前記外側散水板の散水孔の数よりも少なく設定されていることを特徴とする請求項１に記載のシャワーヘッド。
【発明の詳細な説明】
【０００１】
【産業上の利用分野】
この発明は、シャワーヘッドの改良に関するものである。
【０００２】
【従来の技術及びその課題】
従来、水道水に含まれる塩素が、髪の毛とか敏感な肌質の人に悪影響を与えるため、塩素除去フィルターを内蔵したシャワーヘッドに交換して塩素除去水を散水させて使用しているが、従来の塩素除去フィルターを内蔵したシャワーヘッドでは常に塩素除去水を散水するため、掃除時などに塩素の含まれた水道水（原水）を使用したい場合にも、原水を使用することができなくなり、常に塩素除去フィルターを通るために塩素除去フィルターの寿命が短くなってしまうという問題点があった。
【０００３】
【課題を解決するための手段】
本発明は上記従来の問題点に鑑み案出したものであって、原水と塩素除去水の切替えが可能で、清掃時等には良好に原水を使用できるシャワーヘッドを提供せんことを目的とし、その第１の要旨は、内蔵した脱塩素フィルターを通して塩素除去水を外側から散水する外側散水板の中央に、前記脱塩素フィルターを通さない原水を内側から散水する内側散水板が設けられ、洗髪時等の前記外側散水板からの散水と、清掃時等の前記内側散水板からの散水とを切り替える切替スイッチが設けられていることである。
また、第２の要旨は、前記内側散水板からの散水範囲が、前記外側散水板からの散水範囲よりも狭くなるように設定されていることである。
また、第３の要旨は、前記内側散水板の散水孔の径が、前記外側散水板の散水孔の径よりも大径に形成されていることである。
また、第４の要旨は、前記内側散水板の散水孔の数が、前記外側散水板の散水孔の数よりも少なく設定されていることである。
【０００４】
【実施例】
以下、本発明の実施例を図面に基づいて説明する。
図１は、本例のシャワーヘッドの断面構成図であり、シャワーヘッド１は、ヘッド本体部２と、水路を形成し、ヘッド本体部２に対し分解可能に接続された柄部３とで構成されており、前記ヘッド本体部２の吐出側には、散水孔４ａ，４ａ，４ａを有する外側散水板４が取り付けられており、この外側散水板４の内側には脱塩素フィルター６が内蔵されたものとなっており、脱塩素フィルター６は外側通路５内に配置されたものとなっている。
【０００５】
また、前記外側散水板４の中央部には、原水散水孔７ａ，７ａ，７ａを有する内側散水板７が取り付けられており、この内側散水板７は、中央部の原水の通る原水通路８に連通されたものとなっており、原水通路８及び前記外側通路５は、それぞれパッキン９が設けられて、ボール１０により開閉されるように構成されており、ボール１０は軸１１を中心として揺動可能に配置され、軸１１にはシーソー型の切替スイッチ１２が連結されており、この切替スイッチ１２を操作することにより、軸１１を中心として前記ボール１０を前記外側通路５を閉じる位置または前記原水通路８を閉じる位置に移動させることができるように構成されている。従って、この切替スイッチ１２の操作により、外側散水板４から脱塩素フィルター６を通して塩素除去水を散水させることができるとともに、切替スイッチ１２で切り替えて前記内側散水板７から原水を散水させることができるように構成されている。
【０００６】
なお、図１の状態では、ボール１０が原水通路８の入口のパッキン９に当接して原水通路８を閉止させている状態であり、この図１の状態では、外側通路５内に水道水が流入されて、水道水は脱塩素フィルター６を通り塩素が除去され、塩素除去水として外側散水板４の散水孔４ａから散水されるものである。
【０００７】
なお、本例では、図に示すように、内側散水板７からの散水範囲αが、外側散水板４からの散水範囲βよりも狭くなるように設定されており、また、内側散水板７の原水散水孔７ａの径は、外側散水板４の散水孔４ａの径よりも大径に形成されており、さらに内側散水板７の原水散水孔７ａの数は、外側散水板４の散水孔４ａの数よりも少なく設定されたものとなっている。
【０００８】
このような構造において、顔を洗う時とか洗髪時等には、原水通路８を閉止させて外側散水板４から塩素除去水を散水させて、塩素除去水により髪の毛等に悪影響を与えることなく良好に洗髪等を行うことができるものとなり、また、浴室を清掃する時などには、切替スイッチ１２の操作により外側通路５を閉止させて、原水通路８から水道水を内側散水板７を通して散水させることができ、この時に、内側散水板７は散水範囲αが狭く設定され、かつ散水孔７ａの径が大で、数が少なく設定されているため、清掃すべき部分にスポット的に散水を噴出させて、良好に清掃作業を行うことができるものとなる。
このように清掃時等には原水を使用することができるため、常に脱塩素フィルター６を水道水が通過するものではないため、その分、脱塩素フィルター６の寿命を延ばすことができるものとなる。また、清掃時等に原水を使用することにより、原水には塩素が残っているので、カビ、雑菌などが生じにくいというメリットがある。
【０００９】
【発明の効果】
本発明のシャワーヘッドは、内蔵した脱塩素フィルターを通して塩素除去水を外側から散水する外側散水板の中央に、前記脱塩素フィルターを通さない原水を内側から散水する内側散水板が設けられ、洗髪時等の前記外側散水板からの散水と、清掃時等の前記内側散水板からの散水とを切り替える切替スイッチが設けられていることにより、洗髪時等には脱塩素フィルターを通して外側散水板から塩素除去水を散水させて使用することができ、また、清掃時等には切替スイッチの操作で切り替えて内側散水板から原水を散水させることができ、使用場面に応じて塩素除去水と原水を区別して使用することが可能となり、脱塩素フィルターの寿命を延ばすことができるものとなる。
【００１０】
また、前記内側散水板からの散水範囲が、前記外側散水板からの散水範囲よりも狭くなるように設定されていることにより、清掃時等に原水を内側散水板から散水させる時には散水範囲が狭くなり、スポット的に清掃個所に散水を当てて、良好に清掃作業を行うことができるものとなる。また、清掃時等に原水を使用することにより、原水には塩素が残っているので、カビ、雑菌などが生じにくいというメリットがある。
【００１１】
また、前記内側散水板の散水孔の径が、前記外側散水板の散水孔の径よりも大径に形成されているため、内側散水板からの原水は大粒となり、清掃作業時等には目的の個所に原水を勢いよく衝突させて、清掃を良好に行うことができるものとなる。
【００１２】
また、前記内側散水板の散水孔の数が、前記外側散水板の散水孔の数よりも少なく設定されていることにより、原水を少ない数の散水孔から強い水流として噴出させて清掃個所等に当接させることができ、清掃作業等が良好に行える効果を有する。
【図面の簡単な説明】
【図１】シャワーヘッドの断面構成図である。
【符号の説明】
１  シャワーヘッド
２  ヘッド本体部
３  柄部
４  外側散水板
４ａ  散水孔
５  外側通路
６  脱塩素フィルター
７  内側散水板
７ａ  原水散水孔
８  原水通路
９  パッキン
１０  ボール
１２  切替スイッチ
α  原水散水範囲
β  塩素除去水散水範囲
【図１】
0003574992.tif 000002